(57)【特許請求の範囲】
【請求項１】
木製の上横片と木製の下横片と鉄製の左縦片と鉄製の右縦片とが前面視縦長な四角形の前後方向に貫通する中央空間を囲む額縁状の四方枠を構成し、左縦片が左外側鉄板と左内側鉄板とからなる二重構造になり、右縦片が右外側鉄板と右内側鉄板とからなる二重構造になった遊技機の外枠であって、左縦片の左外側鉄板と左内側鉄板とからなる二重構造は左内側鉄板の板状後縁部を左外側鉄板の筒状後縁部に嵌め込むとともに左内側鉄板の板状前縁部を左外側鉄板の折返状前縁部に前後方向で対向しつつ左外側鉄板の中間板状部の内面に重ね合わせかつ左内側鉄板の板状前縁部と左外側鉄板の中間板状部とを互いに結合しさらに左内側鉄板のリブ部と左外側鉄板とによって上下方向に長い筒状空間を形成した構成であり、右縦片の右外側鉄板と右内側鉄板とからなる二重構造は右内側鉄板の板状後縁部を右外側鉄板の筒状後縁部に嵌め込むとともに右内側鉄板の板状前縁部を右外側鉄板の折返状前縁部に前後方向で対向しつつ右外側鉄板の中間板状部の内面に重ね合わせかつ右内側鉄板の板状前縁部と右外側鉄板の中間板状部とを互いに結合しさらに右内側鉄板のリブ部と右外側鉄板とによって上下方向に長い筒状空間を形成した構成であることを特徴とする遊技機の外枠。
【請求項２】
左内側鉄板の板状前縁部と左外側鉄板の中間板状部との結合又は右内側鉄板の板状前縁部と右外側鉄板の中間板状部との結合がスポット溶接であることを特徴とする請求項１記載の遊技機の外枠。
【発明の詳細な説明】
【技術分野】
【０００１】
本発明は、鉄製の左右縦片の軽量化と可動枠に対する支持強度とが向上できる遊技機の外枠に関する。
【背景技術】
【０００２】
パチンコ遊技機などの遊技機に用いられる外枠には、特許文献１や特許文献２で開示されるように、木製の上下横片と軽金属製又は鉄製の左右縦片とから構成されたものが知られている。しかしながら、上下横片と左右縦片とが連結部材によって互いに直角となるように結合された構造であるので、左右縦片の軽量化を図りつつ、２０ｋｇ程度の重量を有する可動枠に対する支持強度を確保することが難しいという欠点があった。
【先行技術文献】
【特許文献】
【０００３】
【特許文献１】特開２００８−１８３３０３号公報
【特許文献２】特開２００６−１１６２０２号公報
【発明の概要】
【発明が解決しようとする課題】
【０００４】
発明が解決しようとする問題点は、左右縦片の軽量化と外枠の可動枠に対する支持強度との両立が難しいという点である。
【課題を解決するための手段】
【０００５】
本発明に係る遊技機の外枠は、外枠を正面から見た場合の左縦片の左外側鉄板と左内側鉄板とからなる二重構造が左内側鉄板の板状後縁部を左外側鉄板の筒状後縁部に嵌め込むとともに左内側鉄板の板状前縁部を左外側鉄板の折返状前縁部に前後方向で対向しつつ左外側鉄板の中間板状部の内面に重ね合わせかつ左内側鉄板の板状前縁部と左外側鉄板の中間板状部とを互いに結合しさらに左内側鉄板のリブ部と左外側鉄板とによって上下方向に長い筒状空間を形成した構成であり、外枠を正面から見た場合の右縦片の右外側鉄板と右内側鉄板とからなる二重構造が右内側鉄板の板状後縁部を右外側鉄板の筒状後縁部に嵌め込むとともに右内側鉄板の板状前縁部を右外側鉄板の折返状前縁部に前後方向で対向しつつ右外側鉄板の中間板状部の内面に重ね合わせかつ右内側鉄板の板状前縁部と右外側鉄板の中間板状部とを互いに結合しさらに右内側鉄板のリブ部と右外側鉄板とによって上下方向に長い筒状空間を形成した構成であることを特徴とする。
【発明の効果】
【０００６】
本発明に係る遊技機の外枠は、左縦片の二重構造によって、左外側鉄板と左内側鉄板とを互いに異なる板厚の鉄板から構成して左縦片の軽量化を図ることができ、そのような軽量化された縦長な左縦片の上端部と下端部とを互いに平面内で逆向きに回転するような力が左縦片に加わった場合でも、左内側鉄板のリブ部と左外側鉄板の折返状前縁部と左外側鉄板の筒状後縁部とによって左縦片の捩れを防止することができ、右縦片の二重構造によって、右外側鉄板と右内側鉄板とを互いに異なる板厚の鉄板から構成して右縦片の軽量化を図ることができ、そのように軽量化された縦長な右縦片の上端部と下端部とを互いに平面内で逆向きに回転するような力が右縦片に加わった場合でも、右内側鉄板のリブ部と右外側鉄板の折返状前縁部と右外側鉄板の筒状後縁部とによって右縦片の捩れを防止することができ、左右縦片の軽量化と外枠の可動枠に対する支持強度との両立が図れるという利点がある。
【図面の簡単な説明】
【０００７】
【図１】実施の形態に係る遊技機の外枠を示す斜視図。
【図２】実施の形態に係る左縦片を示す分解図。
【図３】実施の形態に係る右縦片を示す分解図。
【図４】実施の形態に係る外枠を示す分解図。
【発明を実施するための形態】
【０００８】
本明細書における「前」、「後」、「左」、「右」、「上」、「下」の方向は、図１の状態に外枠１を置いて矢印Ｓで示す前側から見た場合に特定される方向である。図２及び図３は、詳細な構造を明確に表現するために、図１や図４に比べ、縦横の縮尺を変更して図示された状態である。
【０００９】
図１を参照し、遊技機の外枠１について説明する。外枠１は、図外の遊技店の遊技機設置構造体に取り付けられるものであって、木製の上横片２、木製の下横片３、鉄製の左縦片４、鉄製の右縦片５を備える。上横片２、下横片３、左縦片４、右縦片５が互いに組み合わせられて外枠１としての前面視縦長な四角形の前後方向に貫通する中央空間６を囲む額縁状の四方枠を構成する。外枠１の下端部には、前片７が設けられる。左縦片４が左外側鉄板８と左内側鉄板９とからなる二重構造になっている。右縦片５は、右外側鉄板１０と右内側鉄板１１とからなる二重構造になっている。外枠１の前部には、図外の前枠又は本体枠と呼ばれる可動枠が上ヒンジ部材３３及び下ヒンジ部材７６を回転中心として前後方向に開閉可能に取り付けられる。可動枠には、透明なガラスで塞がれた窓を有する前扉、制御装置、遊技盤又は図柄回胴機構、賞品払出機構、遊技媒体供給機構のような、パチンコ遊技又はスロット遊技に必要な部品の全部が設けられる。
【００１０】
左縦片４の二重構造は、例えば、左外側鉄板８の下端部と左内側鉄板９の上端部とを互いに上下方向で向かい合わせ、左内側鉄板９の板状後縁部１３を左外側鉄板８の筒状後縁部１４に嵌め込むとともに、左内側鉄板９の板状前縁部１５を左外側鉄板８の折返状前縁部１６に前後方向で対向しつつ左外側鉄板８の中間板状部１７の内面に重ね合わせて結合し、さらに、左内側鉄板９のリブ部１８と左外側鉄板８とによって上下方向に長い筒状空間１９を形成した、構成である。
【００１１】
左縦片４の二重構造によれば、左内側鉄板９の板状後縁部１３が左外側鉄板８の筒状後縁部１４に嵌め込まれ、左内側鉄板９の板状前縁部１５が左外側鉄板８の折返状前縁部１６に前後方向で対向したことによって、左内側鉄板９の板状後縁部１３と板状前縁部１５とが左外側鉄板８よりも前後方向に突出しないという利点がある。また、例えば、左外側鉄板８の板厚が左内側鉄板９の板厚よりも薄いというように、左外側鉄板８と左内側鉄板９とを互いに異なる板厚の鉄板から構成して左縦片４の軽量化が図れるという利点がある。このように軽量化された縦長な左縦片４の上端部と下端部とを互いに平面内で逆向きに回転するような力が縦長な左縦片４に加わった場合でも、左内側鉄板９のリブ部１８と左外側鉄板８の折返状前縁部１６と左外側鉄板８の筒状後縁部１４とによって、左縦片４の捩れが防止され、外枠１としての支持強度が向上するという利点がある。
【００１２】
右縦片５の二重構造は、例えば、右外側鉄板１０の下端部と右内側鉄板１１の上端部とを互いに上下方向で向かい合わせ、右内側鉄板１１の板状後縁部２１を右外側鉄板１０の筒状後縁部２２に嵌め込むとともに、右内側鉄板１１の板状前縁部２３を右外側鉄板１０の折返状前縁部２４に前後方向で対向しつつ右外側鉄板１０の中間板状部２５の内面に重ね合わせて結合し、さらに、右内側鉄板１１のリブ部２６と右外側鉄板１０とによって上下方向に長い筒状空間２７を形成した、構成である。
【００１３】
右縦片５の二重構造によれば、右内側鉄板１１の板状後縁部２１が右外側鉄板１０の筒状後縁部２２に嵌め込まれ、右内側鉄板１１の板状前縁部２３が右外側鉄板１０の折返状前縁部２４に前後方向で対向したことによって、右内側鉄板１１の板状後縁部２１と板状前縁部２３とが右外側鉄板１０よりも前後方向に突出しないという利点がある。また、例えば、右外側鉄板１０の板厚が右内側鉄板１１の板厚よりも薄いというように、右外側鉄板１０と右内側鉄板１１とを互いに異なる板厚の鉄板から構成して右縦片５の軽量化が図れるという利点がある。このように軽量化された縦長な右縦片５の上端部と下端部とを互いに平面内で逆向きに回転するよう力が右縦片５に加わった場合でも、右内側鉄板１１のリブ部２６と右外側鉄板１０の折返状前縁部２４と右外側鉄板１０の筒状後縁部２２とによって、右縦片５の捩れが防止され、外枠１としての支持強度が向上するという利点がある。
【００１４】
左内側鉄板９の板状前縁部１５と左外側鉄板８の中間板状部１７との結合又は右内側鉄板１１の板状前縁部２３と右外側鉄板１０の中間板状部２５との結合がスポット溶接であれば、電気溶接やガス溶接で結合した場合に比べ、溶接による歪の発生が少なく、外枠１の形状が適切に保持できるという利点がある。また、板状前縁部１５と中間板状部１７との結合又は板状前縁部２３と中間板状部２５との結合は、リベットでもよいが、スポット溶接であれば、板状前縁部１５と中間板状部１７とへの穴あけ加工又は板状前縁部２３と中間板状部２５とへの穴あけ加工が不要になるという利点がある。左内側鉄板９のリブ部１８又は右内側鉄板１１のリブ部２６が前後方向に離れて複数条形成されているので、リブ部１８又はリブ部２６を１条とした場合に比べ、左縦片４又は右縦片５の強度が向上するという利点がある。
【００１５】
図２を参照し、先ず、左外側鉄板８の構造について説明すると、左外側鉄板８の折返状前縁部１６は、左外側鉄板８の縦方向に長い帯状の前縁部が外側から内側を経由して後側に２つに折り曲げられて重ね合わされた態様である。左外側鉄板８の筒状後縁部１４は、左外側鉄板８の縦方向に長い帯状の後縁部が上下方向に開口した四角形筒状となるように外側から内側に直角に折り曲げられた後に内側から前側に直角に折り曲げられさらに前側から外側に直角に折り曲げられ、その外側に折り曲げられた端部と当該端部に対向する部分との間に挿入用隙間２９を形成した態様である。筒状後縁部１４は、四角形筒状を例示したが、丸筒状、三角筒状、五角形以上の各筒状でもよい。
【００１６】
左外側鉄板８の上端部には、鉄製の上ヒンジブラケット３０が電気溶接又はガス溶接で結合される。上ヒンジブラケット３０は、左外側鉄板８よりも板厚の厚い鉄板により構成される。上ヒンジブラケット３０の左内側鉄板９よりも内側に突出する上壁部３１には、取付孔３２と上ヒンジ部材３３とが設けられる。取付孔３２は、皿穴を例示する。左外側鉄板８の下端部には、下突片３４が設けられる。下突片３４は、左外側鉄板８の中間板状部１７の下端部がまっすぐ下方に延長された態様である。中間板状部１７は、折返状前縁部１６と筒状後縁部１４との間における縦方向に長い帯状の部分である。
【００１７】
次に、左内側鉄板９の構造について説明すると、左内側鉄板９の複数条のリブ部１８は、左内側鉄板９の板状前縁部１５と板状後縁部１３との間における縦方向に長い左内帯状部に前後方向に分かれて設けられる。リブ部１８は、左内側鉄板９の左内帯状部の一部が外側から内側に突出しかつ上下方向に連続する凸条を構成し、外側から内側に窪む縦方向に長い凹条を構成する。
【００１８】
左内側鉄板９の上端部には、鉄製の左上ブラケット３５が複数条のリブ部１８にスポット溶接又は有頭螺子又はリベットで結合されて設けられる。左上ブラケット３５の左内側鉄板９よりも内側に突出する上壁部３６には、取付孔３７が設けられる。リブ部１８の下端部には、取付孔３８が設けられる。取付孔３７；３８は、螺子孔を例示する。螺子孔は、貫通孔の内面に雌螺子の形成された態様である。
【００１９】
図２を参照し、左縦片４の組立工程について説明すると、左外側鉄板８の下端部と左内側鉄板９の上端部とが互いに上下方向で向かい合わせられた後に近づけられて嵌め合わされる。その場合、左内側鉄板９の板状後縁部１３が左外側鉄板８の挿入用隙間２９を経由して筒状後縁部１４に嵌め込まれ、左内側鉄板９の板状前縁部１５が左外側鉄板８の折返状前縁部１６に対向しつつ左外側鉄板８の中間板状部１７の内面に重ね合わされる。
【００２０】
その後、左外側鉄板８の上端部と左内側鉄板９の上端部とが互いに近づく方向に、例えば、左外側鉄板８が左内側鉄板９に対し又は左内側鉄板９が左外側鉄板８に対し直線的に移動されて、左外側鉄板８と左内側鉄板９とが互いに組み合わせられる。その場合、左外側鉄板８における上壁部３１と左上ブラケット３５の上壁部３６との間には挿入用隙間４０（図４参照）が確保され、左外側鉄板８の取付孔３２と左上ブラケット３５の取付孔３７とが互いに上下方向で対向し、左外側鉄板８の下突片３４が左内側鉄板９よりも下方に突出した状態になる。その後、左内側鉄板９の板状前縁部１５と左外側鉄板８の中間板状部１７とが互いにスポット溶接で結合され、左縦片４が図４に示す態様に組み立てられる。
【００２１】
図３を参照し、先ず、右外側鉄板１０の構造について説明すると、右外側鉄板１０の折返状前縁部２４は、右外側鉄板１０の縦方向に長い帯状の前縁部が外側から内側を経由して後側に２つに折り曲げられて重ね合わされた構成である。右外側鉄板１０の筒状後縁部２２は、右外側鉄板１０の縦方向に長い帯状の後縁部が上下方向に開口した四角形筒状となるように外側から内側に直角に折り曲げられた後に内側から前側に直角に折り曲げられさらに前側から外側に直角に折り曲げられ、その外側に折り曲げられた端部と当該端部に対向する部分との間に挿入用隙間４１を形成する。筒状後縁部２２は、四角形筒状を例示したが、丸筒状、三角筒状、五角形以上の各筒状でもよい。
【００２２】
右外側鉄板１０の上端部には、上突片４２が設けられる。上突片４２は、右外側鉄板１０の中間板状部２５の上端部が内側に直角に折り曲げられた態様である。右外側鉄板１０の中間板状部２５は、折返状前縁部２４と筒状後縁部２２との間における縦方向に長い帯状の部分である。上突片４２には、取付孔４３が設けられる。取付孔４３は、皿穴を例示する。右外側鉄板１０の下端部には、下突片４４が設けられる。下突片４４は、右外側鉄板１０の中間板状部２５の下端部がまっすぐ下方に延長された態様である。
【００２３】
次に、右内側鉄板１１の構造について説明すると、右内側鉄板１１の複数条のリブ部２６は、右内側鉄板１１の板状前縁部２３と板状後縁部２１との間における縦方向に長い右内帯状部に前後方向に分かれて設けられる。リブ部２６は、右内側鉄板１１の右内帯状部の一部が外側から内側に突出しかつ上下方向に連続する凸条を構成し、外側から内側に窪む縦方向に長い凹条を構成する。
【００２４】
右内側鉄板１１の上端部には、鉄製の右上ブラケット４５が複数条のリブ部２６にスポット溶接又は有頭螺子又はリベットで結合されて設けられる。右上ブラケット４５の右内側鉄板１１よりも内側に突出する上壁部４６には、取付孔４７が設けられる。右内側鉄板１１の下端部には、取付孔４８が設けられる。取付孔４７；４８は、螺子孔を例示する。螺子孔は、貫通孔の内面に雌螺子の形成された態様である。右内側鉄板１１の上下方向の中間部には、鉄製の複数のロック受金具５０が上下に分かれて右内側鉄板１１の内側に配置されかつ複数条のリブ部２６にスポット溶接又は有頭螺子又はリベットで結合されて設けられる。
【００２５】
そして、右縦片５の組立工程について説明すると、右外側鉄板１０の下端部と右内側鉄板１１の上端部とが互いに上下方向で向かい合わせられた後に近づけられて嵌め合わされる。その場合、右内側鉄板１１の板状後縁部２１が挿入用隙間４１を経由して右外側鉄板１０の筒状後縁部２２に嵌め込まれ、右内側鉄板１１の板状前縁部２３が右外側鉄板１０の折返状前縁部２４に対向しつつ右外側鉄板１０の中間板状部２５の内面に重ね合わされる。
【００２６】
その後、右外側鉄板１０の上端部と右内側鉄板１１の上端部とが互いに近づくように、例えば、右外側鉄板１０が右内側鉄板１１に対し又は右内側鉄板１１が右外側鉄板１０に対し直線的に移動されて、右外側鉄板１０と右内側鉄板１１とが互いに組み合わせられる。その場合、右外側鉄板１０の上突片４２と右上ブラケット４５の上壁部４６との間には挿入用隙間４９（図４参照）が確保され、上突片４２の取付孔４３と右上ブラケット４５の取付孔４７とが互いに上下方向で対向し、右外側鉄板１０の下突片４４が右内側鉄板１１よりも下方に突出した態様になる。さらに、右内側鉄板１１の板状前縁部２３と右外側鉄板１０の中間板状部２５とが互いにスポット溶接で結合され、右縦片５が図４に示す態様に組み立てられる。
【００２７】
図４を参照し、外枠を構成する部品について説明する。外枠の構成部品は、上横片２、下横片３、左縦片４、右縦片５、前片７、左下ブラケット５１、右下ブラケット５２を例示する。上横片２には、ヒンジ収容部５３、ブラケット収容部５４、前逃げ部５５、後逃げ部５６、取付孔５７；５８が設けられる。取付孔５７；５８は、貫通孔を例示する。
【００２８】
下横片３には、逃げ部６１；６２、取付孔６３；６４が設けられる。取付孔６３；６４は、螺子部材９１；９２の頭部を下横片３の下部側に収容する形状の座ぐり穴を例示する。前片７には、受収容部６５、取付孔６６；６７が設けられる。取付孔６６；６７は、螺子部材９２；９３の頭部を前片７の前部側に収容する形状の座ぐり穴を例示する。
【００２９】
左下ブラケット５１は、鉄板から構成され、左壁部６９と前壁部７０と下壁部７１とが互いに直角となるように、また、下ヒンジ設置部７２が前壁部７０の上縁部から前方に直角に突出する態様である。左壁部６９、前壁部７０、下壁部７１のそれぞれには、取付孔７３；７４；７５が個別に設けられる。取付孔７３は、貫通孔を例示する。取付孔７４；７５は、螺子孔を例示する。螺子孔は、貫通孔の内面に雌螺子の形成された態様である。下ヒンジ設置部７２には、鉄製の下ヒンジ部材７６が設けられる。
【００３０】
右下ブラケット５２は、鉄板から構成され、右壁部７８と前壁部７９と下壁部８０とが互いに直角となるように、また、前枠受部８１が前壁部７９の上縁部から前方に直角に突出する態様である。右壁部７８、前壁部７９、下壁部８０のそれぞれには、取付孔８２；８３；８４が個別に設けられる。取付孔８２は、貫通孔を例示する。取付孔８３；８４は、螺子孔を例示する。螺子孔は、貫通孔の内面に雌螺子の形成された態様である。
【００３１】
次に、外枠１の組立工程について説明すると、上横片２の左端部が左縦片４の挿入用隙間４０に挿入されるのに伴って、上ヒンジブラケット３０の上壁部３１が上横片２のヒンジ収容部５３に収容される。そして、固定具８６が取付孔３２から取付孔５７を経由して左取付孔３７に装着されて、上横片２と左縦片４とが互いに直角に結合される。固定具８６は、皿螺子を例示する。
【００３２】
上横片２の右端部が右縦片５の挿入用隙間４９に挿入されるのに伴って、上突片４２が上横片２のブラケット収容部５４に収容され、右縦片５の筒状後縁部２２（図３参照）が後逃げ部５６に配置され、右縦片５の折返状前縁部２４が前逃げ部５５に配置される。そして、固定具８７が取付孔４３から取付孔５８を経由して取付孔４７に装着されて、上横片２と右縦片５とが互いに直角に結合される。固定具８７は、皿螺子を例示する。
【００３３】
左下ブラケット５１の左壁部６９が左縦片４の下端部の内側に配置され、固定具８８が取付孔７３から取付孔３８に装着されて、左下ブラケット５１が左縦片４に結合される。固定具８８によって左下ブラケット５１が左縦片４に結合された場合、固定具８８は、左外側鉄板８の外側からみえない。固定具８８は、有頭螺子を例示する。左下ブラケット５１の左壁部６９が左内側鉄板９の複数条のリブ１８にスポット溶接又はリベットで結合されることによって、左下ブラケット５１が左縦片４の左内側鉄板９の下端部に結合されてもよい。
【００３４】
右下ブラケット５２の右壁部７８が右縦片５の下端部の内側に配置され、固定具８９が取付孔８２から取付孔４８に装着されて、右下ブラケット５２が右縦片５に結合される。固定具８９によって右下ブラケット５２が右縦片５に結合された場合、固定具８９は、右外側鉄板１０の外側からみえない。固定具８９は、有頭螺子を例示する。右下ブラケット５２の右壁部７８が右内側鉄板１１の複数条のリブ２６（図３参照）にスポット溶接又はリベットで結合されることによって、右下ブラケット５２が右縦片５の右内側鉄板１１の下端部に結合されてもよい。
【００３５】
下横片３が左下ブラケット５１の下壁部７１の下側と右下ブラケット５２の下壁部８０の下側に配置され、左縦片４の下突片３４及び右縦片５の下突片４４が下横片３の逃げ部６１；６２に個別に配置され、固定具９０が取付孔６３から取付孔７５に装着され、固定具９１が取付孔６４から取付孔８４に装着されて、下横片３が左下ブラケット５１及び右下ブラケット５２に結合されたことによって、下横片３が左縦片４及び右縦片５のそれぞれに直角に組み合わせられる。固定具９０；９１は、有頭螺子を例示する。
【００３６】
前片７が下ヒンジ設置部７２の下側及び前枠受部８１の下側から左下ブラケット５１の前壁部７０の前側と右下ブラケット５２の前壁部７９の前側に配置され、右下ブラケット５２の前枠受部８１が受収容部６５に配置され、固定具９２が取付孔６６から取付孔７４に装着され、固定具９３が取付孔６７から取付孔８３に装着されて、前片７が左下ブラケット５１及び右下ブラケット５２に結合されたことによって、前片７が左縦片４と右縦片５及び下横片３のそれぞれに直角に組み合わせられる。固定具９２；９３は、有頭螺子を例示する。
【符号の説明】
【００３７】
１は外枠、２は上横片、３は下横片、４は左縦片、５は右縦片、６は中央空間、７は前片、８は左外側鉄板、９は左内側鉄板、１０は右外側鉄板、１１は右内側鉄板、１２は欠番、１３は板状後縁部、１４は筒状後縁部、１５は板状前縁部、１６は折返状前縁部、１７は中間板状部、１８はリブ部、１９は筒状空間、２０は欠番、２１は板状後縁部、２２は筒状後縁部、２３は板状前縁部、２４は折返状前縁部、２５は中間板状部、２６はリブ部、２７は筒状空間、２８は欠番、２９は挿入用隙間、３０は上ヒンジブラケット、３１は上壁部、３２は取付孔、３３は上ヒンジ部材、３４は下突片、３５は左上ブラケット、３６は上壁部、３７；３８は取付孔、３９は欠番、４０は挿入用隙間、４１は挿入用隙間、４２は上突片、４３は取付孔、４４は下突片、４５は右上ブラケット、４６は上壁部、４７；４８は取付孔、４９は挿入用隙間、５０はロック受金具、５１は左下ブラケット、５２は右下ブラケット、５３はヒンジ収容部、５４はブラケット収容部、５５は前逃げ部、５６は後逃げ部、５７；５８は取付孔、５９；６０は欠番、６１；６２は逃げ部、６３；６４は取付孔、６５は受収容部、６６；６７は取付孔、６８は欠番、６９は左壁部、７０は前壁部、７１は下壁部、７２は下ヒンジ設置部、７３乃至７５は取付孔、７６は下ヒンジ部材、７７は欠番、７８は右壁部、７９は前壁部、８０は下壁部、８１は前枠受部、８２乃至８４は取付孔、８５は欠番、８６乃至９３は固定具。
【図１】
0005421085.tif 000002
【図２】
0005421085.tif 000003
【図３】
0005421085.tif 000004
【図４】
0005421085.tif 000005